(57)【要約】【課題】端子金具の挿入動作が円滑に行われるようにする。【解決手段】一括ゴム栓４０にはコネクタハウジング２０の収容凹部２２の内周面２４に圧縮状態で密着するとともに、電線９０の外周面に圧縮状態で密着するシール部４２が形成されている。一括ゴム栓４０のうち、少なくとも端子金具８０が挿入される側となる入り口側には、収容凹部２２の内周面２４及び電線９０の外周面のそれぞれに対してシール部４２よりも小さい圧縮力で当接するか又は当接しないことにより、各挿入孔４１と各貫通孔６３との間の位置ずれを規制する導入部４３が形成されている。【選択図】図２
2013062030.tif 000002
【特許請求の範囲】
【請求項１】
複数の挿入孔を有する一括ゴム栓と、前記一括ゴム栓を収容可能な収容凹部を有し、かつ前記各挿入孔と連通する複数のキャビティを有するコネクタハウジングと、前記コネクタハウジングに対し前記一括ゴム栓を挟んで組み付けられることによって前記一括ゴム栓が前記収容凹部から抜け出るのを規制し、かつ前記各挿入孔と連通する複数の貫通孔を有するホルダとを備え、前記一括ゴム栓には、前記収容凹部の内周面に圧縮状態で密着するとともに、電線付きの端子金具が前記貫通孔から前記挿入孔を経て前記キャビティ内に挿入された場合に前記電線の外周面に圧縮状態で密着するシール部が形成されている防水コネクタであって、
前記一括ゴム栓のうち、少なくとも前記端子金具が挿入される側となる入り口側には、前記収容凹部の内周面及び前記電線の外周面のそれぞれに対して前記シール部よりも小さい圧縮力で当接するか又は当接しないことにより、前記各挿入孔と前記各貫通孔との間の位置ずれを規制する導入部が形成されていることを特徴とする防水コネクタ。
【請求項２】
前記導入部では、前記一括ゴム栓の外周面が前記収容凹部の内周面に当接しないことを特徴とする請求項１記載の防水コネクタ。
【請求項３】
前記導入部では、前記一括ゴム栓の前記挿入孔の内周面が前記電線の外周面に当接しないことを特徴とする請求項１又は２記載の防水コネクタ。
【請求項４】
前記一括ゴム栓のうち、前記端子金具が挿入される側とは反対側となる出口側には、前記収容凹部の内周面及び前記電線の外周面のそれぞれに対して前記シール部よりも小さい圧縮力で当接するか又は当接しないことにより、前記一括ゴム栓が表裏反転した場合に前記各挿入孔と前記各貫通孔との間の位置ずれを規制する別の導入部が形成されていることを特徴とする請求項１ないし３のいずれか１項記載の防水コネクタ。
【発明の詳細な説明】
【技術分野】
【０００１】
本発明は、防水コネクタに関する。
【背景技術】
【０００２】
従来の防水コネクタが特許文献１に開示されている。この防水コネクタは、コネクタハウジングと、コネクタハウジングの後面に開口する収容凹部に収容される一括ゴム栓と、一括ゴム栓に続いて収容凹部に収容されて一括ゴム栓の抜け止めをなすホルダとを備えている。コネクタハウジング、一括ゴム栓、及びホルダには、それぞれ、複数のキャビティ、複数の挿入孔、及び複数の貫通孔が、前後方向に互いに同軸で貫通して形成されている。コネクタハウジングのキャビティ内には貫通孔から挿入孔を経て電線付きの端子金具が挿入される。キャビティ内に端子金具が正規挿入されると、一括ゴム栓の挿入孔の内周面に電線の外周面が圧縮状態で密着し、これによって電線周りのシールがとられる。また、このとき、収容凹部の内周面に一括ゴム栓の外周面が圧縮状態で密着し、これによってコネクタハウジング内のシールがとられる。
【先行技術文献】
【特許文献】
【０００３】
【特許文献１】特開２０１１−１００５９９号公報
【発明の概要】
【発明が解決しようとする課題】
【０００４】
ところで、上記一括ゴム栓には電線の外周面及び収容凹部の内周面に圧縮状態で密着するシール部が前後方向の略全長に亘って形成されていた。この場合に、一括ゴム栓が収容凹部に収容されると、シール部が径方向内側に圧縮変形され、それに伴って各挿入孔も径方向内側にシフトすることがあった。その結果、各挿入孔が対応する各貫通孔から位置ずれし、各貫通孔から各挿入孔へと挿入される端子金具の挿入動作が阻止され、端子金具がキャビティ内に至らないおそれがあった。
【０００５】
本発明は上記のような事情に基づいて完成されたものであって、端子金具の挿入動作が円滑に行われるようにすることを目的とする。
【課題を解決するための手段】
【０００６】
上記の目的を達成するための手段として、請求項１の発明は、複数の挿入孔を有する一括ゴム栓と、前記一括ゴム栓を収容可能な収容凹部を有し、かつ前記各挿入孔と連通する複数のキャビティを有するコネクタハウジングと、前記コネクタハウジングに対し前記一括ゴム栓を挟んで組み付けられることによって前記一括ゴム栓が前記収容凹部から抜け出るのを規制し、かつ前記各挿入孔と連通する複数の貫通孔を有するホルダとを備え、前記一括ゴム栓には、前記収容凹部の内周面に圧縮状態で密着するとともに、電線付きの端子金具が前記貫通孔から前記挿入孔を経て前記キャビティ内に挿入された場合に前記電線の外周面に圧縮状態で密着するシール部が形成されている防水コネクタであって、前記一括ゴム栓のうち、少なくとも前記端子金具が挿入される側となる入り口側には、前記収容凹部の内周面及び前記電線の外周面のそれぞれに対して前記シール部よりも小さい圧縮力で当接するか又は当接しないことにより、前記各挿入孔と前記各貫通孔との間の位置ずれを規制する導入部が形成されているところに特徴を有する。
【０００７】
請求項２の発明は、請求項１に記載のものにおいて、前記導入部では、前記一括ゴム栓の外周面が前記収容凹部の内周面に当接しないところに特徴を有する。
【０００８】
請求項３の発明は、請求項１又は２に記載のものにおいて、前記導入部では、前記一括ゴム栓の前記挿入孔の内周面が前記電線の外周面に当接しないところに特徴を有する。
【０００９】
請求項４の発明は、請求項１ないし３のいずれか１項に記載のものにおいて、前記一括ゴム栓のうち、前記端子金具が挿入される側とは反対側となる出口側には、前記収容凹部の内周面及び前記電線の外周面のそれぞれに対して前記シール部よりも小さい圧縮力で当接するか又は当接しないことにより、前記一括ゴム栓が表裏反転した場合に前記各挿入孔と前記各貫通孔との間の位置ずれを規制する別の導入部が形成されているところに特徴を有する。
【発明の効果】
【００１０】
＜請求項１の発明＞
一括ゴム栓のうち少なくとも端子金具が挿入される側となる入り口側には収容凹部の内周面及び電線の外周面のそれぞれに対してシール部よりも小さい圧縮力で当接するか又は当接しないことにより、各挿入孔と各貫通孔との間の位置ずれを規制する導入部が形成されているため、各貫通孔から各挿入孔へと挿入される端子金具の挿入動作が円滑になされる。
【００１１】
＜請求項２の発明＞
導入部では一括ゴム栓の外周面が収容凹部の内周面に当接しないため、導入部が収容凹部の内周面から圧縮力を実質的に受けることがない。したがって、各挿入孔が径方向内側にシフトするのがより確実に回避され、各挿入孔と各貫通孔との間の位置ずれがより確実に規制される。
【００１２】
＜請求項３の発明＞
導入部では一括ゴム栓の挿入孔の内周面が電線の外周面に当接しないため、導入部における挿入孔の孔径が充分に大きくなり、万一、各挿入孔が径方向内側にシフトしても、各貫通孔との連通状態を保つことができる。
【００１３】
＜請求項４の発明＞
一括ゴム栓の出口側には別の導入部が形成され、一括ゴム栓が表裏反転した場合には各挿入孔と各貫通孔との間の位置ずれが別の導入部によって規制されるため、収容凹部に一括ゴム栓を収容させる際に、一括ゴム栓の表裏を区別する必要がなく、作業性が良好となる。
【図面の簡単な説明】
【００１４】
【図１】本発明の実施形態１に係る防水コネクタにおいて、コネクタハウジングのキャビティ内に端子金具が挿入される前の状態をあらわす断面図である。
【図２】コネクタハウジングのキャビティ内に端子金具が正規挿入される直前の状態をあらわす断面図である。
【図３】一括ゴム栓の正面図である。
【図４】一括ゴム栓のＸ−Ｘ線断面図である。
【図５】コネクタハウジングの断面図である。
【図６】ホルダの断面図である。
【発明を実施するための形態】
【００１５】
＜実施形態１＞
本発明の実施形態１を図１ないし図６によって説明する。実施形態１に係る防水コネクタ１０は、コネクタハウジング２０、一括ゴム栓４０、ホルダ６０、及び端子金具８０を備えている。
【００１６】
コネクタハウジング２０は合成樹脂製であってブロック状をなし、図示しない相手コネクタハウジングに嵌合可能とされている。図５に示すように、コネクタハウジング２０内には、複数のキャビティ２１が前後方向に延出して形成されている。各キャビティ２１は高さ方向及び幅方向に整列して配置され、その内壁に、図示しないランスが撓み可能に突出して形成されている。各キャビティ２１内には後方から端子金具８０が挿入され、正規挿入された端子金具８０はランスによって弾性的に抜け止めされるようになっている。
【００１７】
端子金具８０は導電金属製の板材を曲げ加工等して一体に成形され、図１に示すように、前後方向に細長い筒状の本体部８１と、本体部８１の後方に連なるオープンバレル状のバレル部８２とを有している。本体部８１内には、両コネクタハウジングが正規嵌合されたときに、相手コネクタハウジングに装着された相手端子と電気的に接触する図示しない接触部が形成されている。また、バレル部８２は電線９０の端末部に圧着により接続されている。実施形態１の場合、本体部８１及びバレル部８２のそれぞれの外形寸法は互いにほぼ同一とされている。
【００１８】
また、コネクタハウジング２０の後面には、図５に示すように、収容凹部２２が開口して形成されている。コネクタハウジング２０の収容凹部２２には後方から一括ゴム栓４０が収容可能とされている。収容凹部２２は、高さ方向に沿って配置される奥面２３と、奥面２３の周縁に連なりコネクタハウジング２０の後端部の内側に配置される内周面２４とで区画されている。収容凹部２２の奥面２３には各キャビティ２１の後端が開口している。また、コネクタハウジング２０の外面における後端部の高さ方向両端側には、一対のロック突起２５が突出して形成されている。両ロック突起２５には、ホルダ６０のロック片６５（後述する）が弾性的に係止可能とされている。
【００１９】
一括ゴム栓４０はシリコンゴム等のゴム製であって、図３及び図４に示すように、全体として高さ方向に長い扁平マット状の形態とされている。一括ゴム栓４０には、収容凹部２２に収容された状態で各キャビティ２１と前後方向に同軸で連通する複数の挿入孔４１が貫通して形成されている。各挿入孔４１には、端子金具８０が通過したあと電線９０が挿入される。
【００２０】
そして、一括ゴム栓４０は、シール部４２と、シール部４２の前後両面の高さ方向中央部に肉盛りされた前後一対の導入部４３とで構成されている。シール部４２は、高さ方向に長い正面視略長円形をなし、一括ゴム栓４０の前後方向（厚み方向）中央部に配置されている。一方、両導入部４３は、高さ方向に長い正面視略矩形をなし、一括ゴム栓４０におけるシール部４２を挟んだ前後両端部に配置されている。
【００２１】
各挿入孔４１は、両導入部４３及びシール部４２を前後方向に連通する形態とされ、両導入部４３側となる一括ゴム栓４０の高さ方向中央部に整列に配置されている。各挿入孔４１の前後長（一括ゴム栓４０の前後長）は、収容凹部２２の前後長とほぼ同一とされている。そして、各挿入孔４１の内周面には、両導入部４３の前後両面に向けて大きく拡開するテーパ状の開口部４４が形成されている。
【００２２】
また、一括ゴム栓４０のシール部４２には、各挿入孔４１を挟んだ高さ方向両側に、一対の進入孔４５が貫通して形成されている。進入孔４５は、幅方向に細長いスリット状の形態とされ、その内周面に、突片６４（後述する）が圧縮状態で弾性的に密着する両側内周リップ４６が形成されている。両側内周リップ４６は、進入孔４５の内周面を周回する形態であって、前後方向に２条並んで配置されている。
【００２３】
また、シール部４２の外周面には、収容凹部２２の内周面２４に圧縮状態で弾性的に密着する外周リップ４７が形成されている。外周リップ４７は、シール部４２（一括ゴム栓４０）の外周面を周回する形態であって、前後２条に並んで配置されている。また、外周リップ４７は、両側内周リップ４６とほぼ同一の断面形状となる断面略四半円弧状をなし、両側内周リップ４６及び後述する内周リップ４９とは前後方向に関して互いに重なる位置に配置されている。さらに、外周リップ４７間の谷部、両側内周リップ４６間の谷部、及び内周リップ４９間の谷部は、いずれも一括ゴム栓４０の前後方向略中央部に配置されている。
【００２４】
そして、外周リップ４７の前後両面は、高さ方向に沿って切り立つ平坦面４８とされ、外周リップ４７の頂部を境とする前後両側に配置されている。この平坦面４８は、両側内周リップ４６の前後両面にも連続して形成されている。
【００２５】
一括ゴム栓４０の各挿入孔４１の内周面には、電線９０の外周面に圧縮状態で弾性的に密着する内周リップ４９が形成されている。内周リップ４９は、挿入孔４１の内周面を周回する形態であって、前後方向に２条並んで配置されている。内周リップ４９は、その頂部を境とする前後方向両側に、前後両端に向けて徐々に拡径する一対の裾部５１を有している。前後の両裾部５１は、挿入孔４１の前後の両開口部４４に一体に連なっている。なお、一括ゴム栓４０は、前後方向中央を境とする前後両側でほぼ対称な形状とされている。
【００２６】
ホルダ６０は合成樹脂製であって、全体としてキャップ状をなしている。そして、ホルダ６０は、図１に示すように、コネクタハウジング２０の後面に後方から取り付けられ、一括ゴム栓４０の後面に当接可能な平板状の押さえ板６１と、押さえ板６１の周縁から前方に突出する筒状の周壁板６２とからなる。押さえ板６１には、一括ゴム栓４０の各挿入孔４１と対向する位置に、複数の貫通孔６３が前後方向に貫通して形成されている。また、図６に示すように、押さえ板６１の前面の高さ方向両端部には、一対の突片６４が前方に突出して形成されている。突片６４は、幅方向に細長い板状をなし、進入孔４５内に密着状態で挿入されることにより、一括ゴム栓４０を位置決め保持する役割をはたす。
【００２７】
周壁板６２の高さ方向両端部には、一対のロック片６５が撓み可能に形成されている。ロック片６５には、前後方向に延びて押さえ板６１の後面に開口するロック孔６６が厚み方向に貫通して形成されている。図１に示すように、コネクタハウジング２０のロック突起２５にロック片６５が弾性的に係止されると、ロック孔６６にロック突起２５が嵌り、これによってホルダ６０がコネクタハウジング２０に保持されるようになっている。
【００２８】
次に、実施形態１に係る防水コネクタ１０の作用を説明する。
コネクタハウジング２０の収容凹部２２内に後方から一括ゴム栓４０が挿入される。一括ゴム栓４０が収容凹部２２内に正規挿入されると、導入部４３の前面が収容凹部２２の奥面２３に当接するとともに、シール部４２の外周リップ４７が収容凹部２２の内周面２４に圧縮状態で弾性的に密着する。これにより、コネクタハウジング２０内のシールがとられる。このとき、導入部４３の外周面は収容凹部２２の内周面２４に当接しておらず、導入部４３には実質的に収容凹部２２側からの圧縮力が付与されることはない。
【００２９】
続いて、図１に示すように、コネクタハウジング２０に後方からホルダ６０が取り付けられる。ホルダ６０のロック片６５がロック突起２５を弾性的に係止すると、一括ゴム栓４０が収容凹部２２内に抜け止めされるとともに、突片６４が進入孔４５を貫通して、突片６４の先端が収容凹部２２の奥面２３に当接可能に配置される。導入部４３には収容凹部２２からの圧縮力が実質的に付与されることがないため、導入部４３側の挿入孔４１は高さ方向中央部側にシフトすることなく所定位置に保たれる。このため、各挿入孔４１と各貫通孔６３との間、及び各挿入孔４１と各キャビティ２１との間が、それぞれ、位置ずれするのが阻止される。また、実施形態１の場合、各挿入孔４１の前側の開口部４４が各キャビティ２１内に臨み、かつ各挿入孔４１の後側の開口部４４内に各貫通孔６３が臨むように位置している。したがって、各挿入孔４１が高さ方向中央部側に多少シフトしても、各孔２１、４１、６３の位置関係がずれることはない。また、仮に、一括ゴム栓４０が表裏反転（前後反転）して収容凹部２２に挿入されても、一括ゴム栓４０全体の形状は変わらず、前後の導入部４３が入れ替わるだけであるため、各孔２１、４１、６３の位置関係は適正に保たれる。
【００３０】
その後、キャビティ２１内に後方から電線９０付きの端子金具８０が挿入される。この場合、端子金具８０は貫通孔６３から挿入孔４１を経てキャビティ２１内に挿入される。挿入の過程では、貫通孔６３、挿入孔４１、及びキャビティ２１がそれぞれ同軸で連通する状態が導入部４３によって担保されるため、端子金具８０の挿入動作が規制されることはない。図２に示すように、端子金具８０が正規挿入されると、シール部４２の内周リップ４９が電線９０の外周面に圧縮状態で弾性的に密着し、これによって電線９０周りのシールがとられる。このとき、導入部４３側の挿入孔４１内及び貫通孔６３内にはそれぞれ電線９０が遊嵌状態で挿入されるようになっている。
【００３１】
以上説明したように、本実施形態によれば、一括ゴム栓４０のうち少なくとも端子金具８０が挿入される側となる入り口側（後側）に、収容凹部２２の内周面２４及び電線９０の外周面に当接しない導入部４３が形成され、導入部４３によって各挿入孔４１と各貫通孔６３との間の位置ずれが規制されるため、各貫通孔６３から各挿入孔４１へと導入される端子金具８０の挿入動作を円滑に行うことができる。
【００３２】
また、導入部４３では一括ゴム栓４０の外周面が収容凹部２２の内周面２４に当接しないため、導入部４３が収容凹部２２の内周面２４から圧縮力を実質的に受けることがない。したがって、各挿入孔４１が高さ方向中央部側（径方向内側）にシフトするのがより確実に回避され、各挿入孔４１と各貫通孔６３との間の位置ずれがより確実に規制される。
【００３３】
また、導入部４３では一括ゴム栓４０の挿入孔４１の内周面が電線９０の外周面に当接しないため、導入部４３側の挿入孔４１の孔径が充分に大きくなり、万一、各挿入孔４１が高さ方向中央部側にシフトしても、各貫通孔６３との連通状態を保つことができる。
【００３４】
しかも、一括ゴム栓４０のうち、端子金具８０が挿入される側とは反対側となる出口側（前側）にも前側（別）の導入部４３が形成され、一括ゴム栓４０が表裏反転した場合には前側の導入部４３が後側に位置して、各挿入孔４１と各貫通孔６３との連通状態を維持するため、収容凹部２２に一括ゴム栓４０を収容させる際に、一括ゴム栓４０の表裏を区別する必要がなく、作業性が良好となる。
【００３５】
＜他の実施形態＞
本発明は上記記述及び図面によって説明した実施形態に限定されるものではなく、例えば次のような実施形態も本発明の技術的範囲に含まれる。
（１）導入部の外周面は、収容凹部側からの圧縮力をシール部側ほど受けない程度に、収容凹部の内周面に軽く当接する構成であってもよい。
（２）導入部側の挿入孔の内周面は、電線側からの圧縮力をシール部側ほど受けない程度に、電線の外周面に軽く当接する構成であってもよい。
（３）導入部は、一括ゴム栓が収容凹部に収容された状態で、ホルダ側に対向する側となる入り口側のみに設けられるものであってもよい。
（４）収容凹部にホルダが進入する構成であってもよい。
【符号の説明】
【００３６】
１０…防水コネクタ
２０…コネクタハウジング
２１…キャビティ
２２…収容凹部
２４…収容凹部の内周面
４０…一括ゴム栓
４１…挿入孔
４２…シール部
４３…導入部
４７…外周リップ
４９…内周リップ
６０…ホルダ
６３…貫通孔
８０…端子金具
９０…電線
【図１】
2013062030.tif 000003
【図２】
2013062030.tif 000004
【図３】
2013062030.tif 000005
【図４】
2013062030.tif 000006
【図５】
2013062030.tif 000007
【図６】
2013062030.tif 000008